(57)【要約】【課題】  回路基板と内蔵型アンテナとの接合部に作用する応力を低減し、その接合部が破損したり、或は内蔵型アンテナの部品自体が破損するのを防止することができる携帯無線機を提供する。【解決手段】  ケース１１と、該ケース１１内に配置される回路基板４と、該回路基板４に接合層９を介して実装される内蔵型アンテナ１５とを有し、回路基板４は、ケース１１に設けられたネジボス６により位置決めされ、かつ、ケース２とケース３に設けられたリブ３ａ間に挟持される構造を有すると共に、ネジボス６近傍に内蔵型アンテナ１５が配置された携帯無線機１０であって、内蔵型アンテナ１５の近傍のネジボス６の近傍に位置する、リブ３ａと回路基板４との間に、及び／又は、回路基板を挟んでリブ３ａと反対側のケース２と回路基板４との間に、隙間を形成するようにした。【選択図】      図４
2006210739.tif 000002
【特許請求の範囲】
【請求項１】
ケースと、該ケース内に配置される回路基板と、該回路基板に接合層を介して実装される内蔵型アンテナとを有し、前記回路基板は、前記ケースに設けられたネジボスにより位置決めされ、かつ、前記ケースとこれに設けられたリブ間に挟持される構造を有すると共に、前記ネジボス近傍に前記内蔵型アンテナが配置された携帯無線機であって、
前記内蔵型アンテナの近傍の前記ネジボスの近傍に位置する、前記リブと前記回路基板との間、及び／又は、回路基板を挟んで前記リブと反対側のケースと回路基板との間に、隙間を形成するようにしたことを特徴とする携帯無線機。
【請求項２】
前記隙間の寸法は、０．２ｍｍ以上、０．５ｍｍ以下の範囲にあることを特徴とする請求項１に記載の携帯無線機。
【請求項３】
ケースと、該ケース内に配置される回路基板と、該回路基板に接合層を介して実装される内蔵型アンテナとを有し、前記回路基板は、前記ケースに設けられたネジボスにより位置決めされ、かつ、前記ケースとこれに設けられたリブ間に挟持される構造を有すると共に、前記ネジボス近傍に前記内蔵型アンテナが配置された携帯無線機であって、
前記内蔵型アンテナの近傍の前記ネジボスの近傍に位置する、前記リブと前記回路基板との間、及び／又は、回路基板を挟んで前記リブと反対側のケースと回路基板との間に、弾性体を介在させたことを特徴とする携帯無線機。
【発明の詳細な説明】
【技術分野】
【０００１】
本発明は、例えば携帯電話機等の携帯無線機に関し、特にそのケース内に設けられた内蔵型アンテナを有する携帯無線機に関するものである。
【背景技術】
【０００２】
図６，図７に示すように、従来の、例えば無線で送受信する携帯電話機１には、その上・下ケース２，３内に、回路基板４を備えると共に、この回路基板４上にチップアンテナ等の内蔵型アンテナ５を備えたものがある（例えば、特許文献１参照）。内蔵型アンテナ５は、図６においては、例えば、符号Ａ〜Ｆのうちのいずれか１箇所の位置に配置されるようになっている。
【０００３】
この内蔵型アンテナ５を備えた携帯電話機１は、外部アンテナ（図示せず）と比較して低い、内蔵型アンテナ５の送受信感度を高めるために、上・下ケース２，３の外周部近傍の内側に内蔵型アンテナ５が配置されることが多く、また、その内蔵型アンテナ５は、回路基板４上に半田付け等によって実装（接合）されるようになっている。
【０００４】
一方、回路基板４は、上・下ケース２，３内の所定の位置に位置決めした状態で固定するために、図６，図７に示すように、上ケース２に設けられたネジボス６と、下ケース３に設けられたリブ３ａにより位置決めされて固定されるようになっている。
【０００５】
すなわち、上ケース２にネジボス６を設けると共に、このネジボス６に嵌合する凹部１９を下ケース３に設け、回路基板４に形成された係合凹部４ａに上記ネジボス６を係合させ、ネジ部材用孔７にネジボス６と反対側から挿入されたオスネジ部材８のオスネジ部８ａを、ネジボス６の軸線部に形成されたネジ孔にネジ結合させる。
【０００６】
このことにより、オスネジ部材８の頭部がネジ部材用孔７の半径外方の、下ケース３の環状板部を、ネジボス６の先端面側に押圧してそれに当接させることにより、回路基板４が上・下ケース２，３内に固定されるようになっている。
【０００７】
このとき、下ケース３に設けられた筒状のリブ３ａの先端部が、回路基板４を押圧するように移動することにより、回路基板４に関してリブ３ａと反対側の上ケース２の基板支持面２ａ側に回路基板４を押圧して、回路基板４はその厚さ方向に位置決めされるようになっている。
【０００８】
そして、前述したように、内蔵型アンテナ５は上・下ケース２，３の外周部近傍の内側に配置され、また、ネジボス６も上・下ケース２，３の外周部近傍の内側に設けられることが多いことから、回路基板４を上・下ケース２，３内に固定したとき、内蔵型アンテナ５がネジボス６の近傍に配置されることがある。
【特許文献１】特開２００１−２１７６２７号公報
【発明の開示】
【発明が解決しようとする課題】
【０００９】
しかしながら、このような構造の携帯電話機１において、落下等の衝撃が作用すると上・下ケース２，３が変形するが、回路基板４は上ケース２のネジボス６の近傍に固定されているため、上・下ケース２，３の変形に伴って、例えば図８に示すように、Ａ部の係合凹部４ａに応力が発生することにより、図９に示すように回路基板４も変形することから、回路基板４と内蔵型アンテナ５との接合部９に応力が発生し、そのため接合部９が破損したり、或は内蔵型アンテナ５の部品自体が破損するおそれがあるという問題があった。
【００１０】
このように接合部９が破損すると、回路基板４と内蔵型アンテナ５との接合が切り離されて両者間の導通が切断されてしまい、内蔵型アンテナ５自体の破損と同様に内蔵型アンテナ５がその機能を発揮できなくなってしまう。
【００１１】
そこで本発明は、上記問題点に鑑みて、回路基板と内蔵型アンテナとの接合部に作用する応力を低減し、その接合部が破損したり、或は内蔵型アンテナの部品自体が破損するのを防止することができる携帯無線機を提供することを課題とするものである。
【課題を解決するための手段】
【００１２】
上記課題を解決するために、本発明による携帯無線機は、
ケースと、該ケース内に配置される回路基板と、該回路基板に接合層を介して実装される内蔵型アンテナとを有し、前記回路基板は、前記ケースに設けられたネジボスにより位置決めされ、かつ、前記ケースとこれに設けられたリブ間に挟持される構造を有すると共に、前記ネジボス近傍に前記内蔵型アンテナが配置された携帯無線機であって、
前記内蔵型アンテナの近傍の前記ネジボスの近傍に位置する、前記リブと前記回路基板との間、及び／又は、回路基板を挟んで前記リブと反対側のケースと回路基板との間に、隙間を形成するようにしたことを特徴とするものである。
【発明の効果】
【００１３】
このような構成の携帯通信機によれば、回路基板と内蔵型アンテナとの接合部に作用する応力を低減し、その接合部が破損したり、或は内蔵型アンテナの部品自体が破損するのを防止することができる。
【発明を実施するための最良の形態】
【００１４】
以下、本発明の実施の形態について、図面に基づいて具体的に説明する。
図１ないし図４は、本発明による携帯通信機の第１の実施の形態について説明するために参照する図である。従来と同様の部品には同じ符号を付して説明し、従来と同様の構成についてはその重複する説明を省略するものとする。
【００１５】
図１は、本実施の形態に係る携帯電話機１０（携帯通信機）を示す図であり、この携帯電話機１０は、複数のキー１６が操作可能に配置された操作部１４が形成された第１ケース１１と、表示部１７を有する第２ケース２１を備えている。これらの第１ケース１１と第２ケース２１との間にはヒンジ１８が設けられていて、このヒンジ１８を介して第１ケース１１と第２ケース２１は、図１に示す開いた状態から、第２ケース２１が回動して操作部１４を覆うように、第１ケース１１に重ね合わされた閉じた状態にすることができる。
【００１６】
図２は、携帯電話機１０の回路構成を示すブロック図である。携帯電話機１０は、すでに説明した操作部１４及び表示部１７の他に、無線部３２、記憶部３４、スピーカー３６及びマイクロホン３８を備えており、これらは制御部４２に制御されて動作するようになっている。ここで、操作部１４、表示部１７、無線部３２、記憶部３４、スピーカー３６及びマイクロホン３８は、従来の一般的な携帯電話機と同様に動作するものである。
【００１７】
第１ケース１１は、図３に示すように、上ケース２と下ケース３とから構成されており、上ケース２の内側には、キー１６を押圧操作することによりＯＮ動作するスイッチ素子を有するキーモジュール２２が配置されている。
【００１８】
そして、このキーモジュール２２を上ケース２に組付けたときは、キー１６の各々が、上ケース２に形成されたキー嵌合孔２ｃの各々に嵌合して、その先端部が外部に露出するようになっている。
【００１９】
キーモジュール２２と下ケース３との間には、複数の電子部品（図示せず）を配置した回路基板４が配置されている。また、回路基板４には、従来と同様に、図６に示す、例えば、符号Ａ〜Ｆのうちのいずれか１箇所の位置に、セラミック製のチップアンテナ１５（内蔵型アンテナ）が配置されるようになっている。
【００２０】
上記チップアンテナ１５は、回路基板４における、波長の４分の１以上の長さのグランドパターンの端部に配置される必要があり、すなわち、周波数が８００ＭＨｚであれば約９．４ｃｍ以上の長さの端部に配置される必要があるので、図６に示す、携帯電話機１０の端部の、符号Ａ〜Ｆのうちのいずれか１箇所の位置に配置されるのが好ましい。
【００２１】
このような内蔵型のチップアンテナ１５は、回路基板４に、半田付けにより半田の接合層（接合部９）を介して実装されている。
【００２２】
そして、図４に示すように、内蔵型のチップアンテナ１５の近傍のネジボス６の近傍に位置する、下ケース３の筒状のリブ３ａと回路基板４との間には隙間Ｃが形成されている。この隙間Ｃの寸法は、オスネジ部材８のネジ部８ａの径がＭ１．４〜Ｍ３のときに、０．２〜０．５ｍｍの範囲で設定されるようにすることが好ましく、本実施の形態では０．３ｍｍとしてある。
【００２３】
このような隙間Ｃが形成されているため、ケース１１に落下等の衝撃が作用すると上・下ケース２，３が変形するが、この上・下ケース２，３の変形に伴って、例えば図８に示すように、Ａ部の係合凹部４ａに応力が発生して、回路基板４が変形したとしても、従来例と比較してその変形量を小さくすることができるため、回路基板４と内蔵型アンテナ５との接合部９に応力が発生し難い。
【００２４】
このため、回路基板４と内蔵型アンテナ５との接合部９に作用する応力を低減させることができるので、接合部９が破損したり、或は内蔵型のチップアンテナ１５の部品自体が破損するのを防止することができる。
【００２５】
したがって、回路基板４と内蔵型アンテナ５との接合が切り離されて両者間の導通が遮断されてしまうのを防止することができるので、内蔵型アンテナ５が、内蔵型アンテナ５自体の破損と同様にその機能を発揮できなくなってしまうことを防止することができる。
【００２６】
また、操作部１４のキー１６を押したときの手応えが局部的に弱くなると、携帯電話機１０の操作性が悪化するおそれが出てくるが、上記実施の形態のように隙間Ｃを０．２ｍｍ以上に設定することにより、キー１６を押したときの手応えが局部的に弱くなるのを防止して、携帯電話機１０の操作性が悪化するのを防止することができる。
【００２７】
また、隙間Ｃが大きすぎると、ケース１１の落下等の衝撃により回路基板４が局部的に大きく振動することにより、接合部９に大きな応力が発生して、接合部９等の破損を招くが、上記実施の形態のように隙間Ｃを０．５ｍｍ以下に設定することにより、このような接合部９等の破損を防止することができる。
【００２８】
なお、上記第１の実施の形態は、下ケース３の筒状のリブ３ａと回路基板４との間に隙間Ｃを形成した場合について説明したが、内蔵型のチップアンテナ１５の近傍のネジボス６の近傍に位置する、上ケース２の基板支持面２ａと回路基板４との間に隙間Ｃを形成してもよい。或は、リブ３ａと回路基板４との間、及び、上記基板支持面２ａと回路基板４との間の両方に隙間Ｃを形成してもよい。
【００２９】
また、上記第１の実施の形態は、内蔵型アンテナとしてセラミック製のチップアンテナ１５を用いた場合について説明したが、内蔵型アンテナとしては、他の種類の内蔵型アンテナを用いてもよいことはいうまでもない。また内蔵型のチップアンテナ１５を回路基板４に実装するため、接着剤等の、半田以外の材料の接合層を用いてもよい。
【００３０】
図５は、本発明の第２の実施の形態に係る携帯電話機３０について説明するために参照する図である。
前記第１の実施の形態においては、筒状のリブ３ａと回路基板４との間に隙間Ｃを形成した場合について説明したが、この第２の実施の形態においては、リブ３ａと回路基板４との間にゴム材料やスポンジ材料等を用いた弾性体Ｒを設けた点において異なるものである。
【００３１】
このような第２の実施の形態においても、ケース１１に落下等の衝撃が作用すると上・下ケース２，３が変形するが、この上・下ケース２，３の変形に伴って、例えば図８に示すように、Ａ部の係合凹部４ａに応力が発生して、回路基板４が変形したとしても、従来例と比較してその変形量を小さくすることができるため、回路基板４と内蔵型アンテナ５との接合部９に応力が発生し難い。
【００３２】
このため、回路基板４と内蔵型のチップアンテナ１５との接合部９に作用する応力を低減させることができるので、接合部９が破損したり、或は内蔵型のチップアンテナ１５の部品自体が破損するのを防止することができる。
【００３３】
なお、上記第２の実施の形態は、下ケース３の筒状のリブ３ａと回路基板４との間に弾性体Ｒを設けた場合について説明したが、内蔵型のチップアンテナ１５の近傍のネジボス６の近傍に位置する、上ケース２の基板支持面２ａと回路基板４との間に弾性体Ｒを設けてもよい。或は、リブ３ａと回路基板４との間、及び、上記基板支持面２ａと回路基板４との間の両方に弾性体Ｒを設けてもよい。
【００３４】
また、前記実施の形態においては、携帯無線機として携帯電話機１０について説明したが、本発明に係る携帯通信機は携帯電話機に限定する必要は無く、本発明と同様の効果を有することができるものであれば、ＰＤＡ（Ｐｅｒｓｏｎａｌ  Ｄｉｇｉｔａｌ  Ａｓｓｉｓｔａｎｔ）のような、他の携帯無線機にも本発明は適用することができる。
【図面の簡単な説明】
【００３５】
【図１】本発明の第１の実施の形態に係る携帯電話機１０を示す斜視図である。
【図２】携帯電話機１０の回路構成を示すブロック図である。
【図３】図１における第１ケース１１の分解側面断面図である。
【図４】携帯電話機１０のチップアンテナ１５周辺の拡大側面断面図である。
【図５】本発明の第２の実施の形態に係る携帯電話機３０のチップアンテナ１５周辺の拡大側面断面図である。
【図６】従来の携帯電話機１及び本発明の第１の実施の形態に係る携帯電話機１０の下ケース３及び回路基板４の平面図である。
【図７】従来の携帯電話機１の内蔵型アンテナ５周辺の拡大側面断面図である。
【図８】回路基板４上に実装された内蔵型アンテナ５を示す斜視図である。
【図９】回路基板４が変形したときの内蔵型アンテナ５との間の状況を示す拡大側面断面図である。
【符号の説明】
【００３６】
１  携帯電話機
２  上ケース
３  下ケース
２ａ  基板支持面
３ａ  リブ
４  回路基板
４ａ  係合凹部
５  内蔵型アンテナ
６  ネジボス
７  ネジ部材用孔
８  オスネジ部材
９  接合部
１０  携帯電話機
１１  ケース
１４  操作部
１５  チップアンテナ
１６  キー
１８  ヒンジ
１９  凹部
２０  マイクロホン
２２  キーモジュール
３０  携帯電話機
Ｃ  隙間
Ｒ  弾性体
【図１】
2006210739.tif 000003
【図２】
2006210739.tif 000004
【図３】
2006210739.tif 000005
【図４】
2006210739.tif 000006
【図５】
2006210739.tif 000007
【図６】
2006210739.tif 000008
【図７】
2006210739.tif 000009
【図８】
2006210739.tif 000010
【図９】
2006210739.tif 000011